(57)【要約】ヘアカット装置を提供する。本発明のヘアカット装置は、支柱に水平段および頂部用段を締結固定し、毛髪ピンセット部材を用いて施術者が構想した形のカットデザインで施術するために毛髪全体を展開して広げておき、カット施術を実行することができるように構成することにより、実際の毛髪に一部ではなく全体展開図を一度で表現することができ、短いキャリアの施術者も展開図通りに構成を完成した上でカットすれば失敗なく展開図のデザイン通りにスタイルを完成することができるようにする。
2016501611.tif 000002
【特許請求の範囲】
【請求項１】
ヘアカット装置であって、
ヘアカットのためのお客様またはモデルが座っているカット空間に垂直に立てられる一つ以上の支柱（１１０）と、
前記支柱（１００）に固定設置される一つ以上の水平段（１２０）と、
お客様またはモデルの上部毛髪を垂直または上方向に固定することができるように、前記支柱（１１０）の上端部（１１１）の上方部位に固定設置される頂部用段（１３０）とを含んでなることを特徴とする、ヘアカット装置。
【請求項２】
前記一つ以上の水平段（１２０）は、
円形リング状をし、前記一つ以上の支柱（１１０）に一体に固定設置されることを特徴とする、請求項１に記載のヘアカット装置。
【請求項３】
前記一つ以上の水平段（１２０）は、
円形リング状をし、前記一つ以上の支柱（１１０）それぞれに設けられる固定係止部（１１４）に締結され、取り外し可能な着脱式で固定設置されることを特徴とする、請求項１に記載のヘアカット装置。
【請求項４】
前記一つ以上の水平段（１２０）は、
円形リング状をし、ヘアカットのためのお客様またはモデルの頭部の上方部位に対応する上段部（１１１）位置と、ヘアカットのためのお客様またはモデルの頭部位に相当する中段部（１１２）位置と、ヘアカットのためのお客様またはモデルが座っている椅子のシート部位に相当する下段部（１１３）位置にそれぞれ設置することを特徴とする、請求項１に記載のヘアカット装置。
【請求項５】
前記頂部用段（１３０）は、
一字状の固定バー（１３２）または十字状の固定バー（１３２）で構成することを特徴とする、請求項１に記載のヘアカット装置。
【請求項６】
前記頂部用段（１３０）は、
一字状の固定バー（１３２）または十字状の固定バー（１３２）を構成し、前記固定バー（１３２）に直径の異なる複数の円形リング（１３１）を連結して構成することを特徴とする、請求項１に記載のヘアカット装置。
【請求項７】
一側が前記お客様またはモデルの毛髪に連結され、他の一側が前記一つ以上の水平段  （１２０）または前記頂部用段（１３０）に連結される毛髪ピンセット部材（１４０）をさらに含み、
前記毛髪ピンセット部材（１４０）は、
お客様またはモデルの毛髪を固定または解除するためのピンセット（１４１）と、一端が前記ピンセット（１４１）に連結される紐（１４２）と、前記紐（１４２）の他の一端に連結される連結部（１４３）とを含み、前記連結部（１４３）は、前記水平段（１２０）または前記頂部用段（１３０）に連結されることを特徴とする、請求項１〜６のいずれか一項に記載のへカット装置。
【請求項８】
前記毛髪ピンセット部材（１４０）は前記ピンセット（１４１）に連結される紐（１４２）の他の一端に設けられる連結部（１４３）を、紐（１４２）が巻かれるロール構造（１４３ａ）、および該ロール構造（１４３ａ）を各段に固定装着することが可能な固定部材（１４３ｆ）で構成する構造と、
前記ピンセット（１４１）に連結される紐（１４２）の他の一端に設けられる連結部（１４３）を、紐（１４２）が巻かれるロール構造（１４３ａ）、および該ロール構造（１４３ａ）に連結される鉤部（１４３ｂ）で構成する構造と、
前記ピンセット（１４１）に連結される紐（１４２）の他の一端に設けられる連結部（１４３）を磁石（１４３ｃ）で構成する構造と、
前記ピンセット（１４１）に連結される紐（１４２）の他の一端に設けられる連結部（１４３）をピン（１４３ｄ）で構成する構造と、
および前記ピンセット（１４１）に連結される紐（１４２）の他の一端に設けられる連結部（１４３）を鉤状部（１４３ｅ）で構成する構造との中、
いずれか一つとすることを特徴とする、請求項７に記載のヘアカット装置。
【発明の詳細な説明】
【技術分野】
【０００１】
本発明は、ヘアカット装置に係り、より具体的には、美容室のお客様や美容学院でのヘアカット施術時の施術者が構想した形のカットデザインで施術するために毛髪全体を展開して広げておき、カット施術を実行することができるようにするヘアカット装置に関する。
【背景技術】
【０００２】
一般に、美容室でお客様にカットを施術するとき、或いは美容教育機関でモデルやマネキンなどにカット実習教育を行うときは、カットデザインを構想した後、頭部で毛束を大きく分け目をつけて分けるか、小さくセクションを分けて毛髪固定用ピンセットで固定した後、片手で毛束を持ち上げて握った状態で、もう一方の片手ではハサミで毛髪をカットし、次いで、カットされた部分をガイドにしてさらに同様の方法でカットを施術していく方式を取る。
【０００３】
図１は一般に美容室でお客様のヘアカットを施術する過程を説明するための図であり、図２は一般に美容学院でヘアカットの施術過程を講習するために準備した実際の人間またはマネキンのモデルを示す図である。図１に示すように、ヘアデザイナーはヘアカットのためのカット施術の仮想デザインラインを頭の中で考えながらカットを施術していく。また、図２に示すように、美容教育機関では、ヘアカットのための施術が準備されると、講義者は普遍的にヘアカット施術または教育を行うとき、美容師と教育生徒に実体が見えない仮想デザインラインを説明しながらカット施術をしていく。このとき、カット施術の際に共通に定められている頭部ポイントがあるが、個人ごとに頭部の骨格および模様が異なる幾何学的な人間の頭部は髪質も異なるから、いつも注意深く施術者自身の姿勢および位置、お客様の姿勢および位置を認知しながら施術しなければならない。ここで、確実に認知しなければ、カットをまともに施術することができないことも多い。施術者ごとに角度認知能力とデザイン理解力も異なるから、学ぶ学生やインターン美容師さんに同レベルの技術を教えるのが難しい。また、これを克服するためにマネキンまたはカットモデルを対象として練習をするときも、毛髪は、誤って一度カットしてしまえば元に戻すことができない。そのため、最初に設定したデザインがあっても、仕方なく他のデザインにするしかないことが多い。
【０００４】
現在、ヘアカット施術や教育の際にも全体デザインを先に見ることはできず、各自が予想をするだけである。人間の手が二つだけであるから、数十個の展開図を一度につかむことができない。特に、髪の毛は、カット後に手を放せば全部重力によって下に集められ、展開図は見えなくなるので、予想展開図全体を維持することができず、頭の中で考えるだけである。また、約１５万本の毛髪をいつも同じ長さや角度を持つデザインで再現するときも、時間と施術に困難があった。
【発明の概要】
【発明が解決しようとする課題】
【０００５】
本発明は、従来の方法の前述した問題点を解決するために提案されたもので、その目的は、支柱に水平段および頂部用段を締結固定し、毛髪ピンセット部材を用いて施術者が構想した形のカットデザインで施術できるように毛髪全体を展開して広げておき、カット施術を実行することができるように構成することにより、実際の毛髪に一部ではなく全体展開図を一度で表現することができ、短いキャリアの施術者も展開図通りに構成を完成した上でカットすれば、失敗なく展開図のデザイン通りにスタイルを完成することができるようにする、ヘアカット装置を提供することにある。
【０００６】
また、本発明の他の目的は、毛髪ピンセット部材とそれぞれの高さを持つ水平段の中で施術または教育を行うと、いつも各水平段の高さおよび位置、お客様またはマネキンの位置、高さおよび角度、施術者自身の位置、高さおよび角度の習得を向上させることができ、従来の絵でのみ確認できた断面的な展開図の一部ないし全体を肉眼で直接確認することができるようにする、ヘアカット装置を提供することにある。
【０００７】
また、本発明の別の目的は、ヘアカット教育の際にも一度切ってしまえばさらに修正することができなかったカットの問題点を克服するために、展開図の数多い変形過程を経た後、理想的なカットを完了することができるようにし、誤ったカットにより費やされる練習用マネキンを節減することができる。さらに習得過程後からは、ヘアカット装置を設置することなくヘアカットの際に毛髪の施術角度、方向および長さの設定に対する判断を短時間で正確に行うことができるようにする教育的効果を向上させる、ヘアカット装置を提供することにある。
【課題を解決するための手段】
【０００８】
上記目的を達成するための本発明の特徴によるヘアカット装置は、ヘアカット装置であって、ヘアカットのためのお客様またはモデルが座っているカット空間に垂直に立てられる一つ以上の支柱と、前記支柱に固定設置される一つ以上の水平段と、お客様またはモデルの上部毛髪を垂直または上方向に固定することができるように、前記支柱の上端部の上方部位に固定設置される頂部用段とを含んでなることをその構成上の特徴とする。
【０００９】
好ましくは、前記一つ以上の水平段は、円形リング状をし、前記一つ以上の支柱に一体に固定設置することができる。
【００１０】
好ましくは、前記一つ以上の水平段は、円形リング状をし、前記一つ以上の支柱それぞれに設けられる固定係止部に締結され、取り外し可能な着脱式で固定設置することができる。
【００１１】
好ましくは、前記一つ以上の水平段は、円形リング状をし、ヘアカットのためのお客様またはモデルの頭部の上方部位に対応する上段部位置と、ヘアカットのためのお客様またはモデルの頭部位に相当する中段部位置と、ヘアカットのためのお客様またはモデルが座っている椅子のシート部位に相当する下段部位置にそれぞれ設置することができる。
【００１２】
好ましくは、前記頂部用段は、一字状の固定バーまたは十字状の固定バーで構成することができる。
【００１３】
好ましくは、前記頂部用段は、一字状の固定バーまたは十字状の固定バーを構成し、前記固定バーに直径の異なる複数の円形リングを連結して構成することができる。
【００１４】
好ましくは、一側が前記お客様またはモデルの毛髪に連結され、他の一側が前記一つ以上の水平段または頂部用段に連結される毛髪ピンセット部材をさらに含むが、前記毛髪ピンセット部材は、お客様またはモデルの毛髪を固定または解除するためのピンセットと、一端が前記ピンセットに連結される紐と、前記紐の他の一端に連結される連結部とを含み、前記連結部は、前記水平段または前記頂部用段に連結されて使用できる。
【００１５】
さらに好ましくは、前記毛髪ピンセット部材は、前記ピンセットに連結される紐の他の一端に設けられる連結部を、紐が巻かれるロール構造に、各段に固定装着することが可能な固定部材または鉤を形成して構成する構造と、前記ピンセットに連結される紐の他の一端に設けられる連結部を磁石で構成する構造と、前記ピンセットに連結される紐の他の一端に設けられる連結部をピンで構成する構造と、前記ピンセットに連結される紐の他の一端に設けられる連結部を鉤状に構成する構造のいずれか一つとすることができる。
【発明の効果】
【００１６】
本発明のヘアカット装置によれば、支柱に水平段および頂部用段を締結固定し、毛髪ピンセット部材を用いて施術者が構想した形のカットデザインで施術できるように、毛髪全体を展開して広げておき、カット施術を実行きるように構成する。これにより、実際の毛髪に一部ではなく全体展開図を一度で表現することができ、短いキャリアの施術者も展開図通りに構成を完成した上でカットすれば、失敗なく展開図のデザイン通りのスタイルを完成することができる。
【００１７】
また、本発明によれば、毛髪ピンセット部材とそれぞれの高さを持つ水平段の中で施術または教育を行うと、いつも各水平段の高さおよび位置、お客様またはマネキンの位置、高さおよび角度、施術者自身の位置、高さおよび角度の習得を向上させることができる。
【００１８】
よって、従来絵のみで確認できた断面的な展開図の一部ないし全体を、肉眼で直接確認することができる。
【００１９】
また、本発明によれば、ヘアカット教育の際にも一度切ってしまえば再び修正することができなかったカットの問題点を克服するために、展開図の数多い変形過程を経た後、理想的なカットを完了することができるようにし、誤ったカットにより費やされる練習用マネキンを節減することができ、習得過程後からは、ヘアカット装置を設置することなくヘアカットの際に毛髪の施術角度、方向および長さの設定に対する判断を短時間で正確に行うことができるようにする教育的効果を向上させることができる。
【図面の簡単な説明】
【００２０】
【図１】一般に美容室でお客様のヘアカットを施術する過程を説明するための図である。
【図２】一般に美容学院でヘアカットの施術過程を講習するために準備した実際の人間またはマネキンのモデルを示す図である。
【図３】本発明の一実施形態に係るヘアカット装置の構成を示す図である。
【図４】本発明の一実施形態に係るヘアカット装置に使用される毛髪ピンセット部材の構成を示す図である。
【図５】本発明の一実施形態に係るヘアカット装置を美容室のお客様またはモデルに適用した一例の構成を示す図である。
【図６】本発明の一実施形態に係るヘアカット装置をマネキンモデルに適用した一例の構成を示す図である。
【符号の説明】
【００２１】
１１０    支柱
１１１    上段部
１１２    中段部
１１３    下段部
１１４    固定係止部
１２０    水平段
１３０    頂部用段
１４０    毛髪ピンセット部材
１４１    ピンセット
１４２    紐
１４３    連結部
１４３ａ    ロール構造      
１４３ｂ    鉤部
１４３ｃ    磁石
１４３ｄ    ピン
１４３ｅ    鉤状部
１４３ｆ    固定部材
【発明を実施するための形態】
【００２２】
以下、添付図面を参照して、本発明の属する技術分野における通常の知識を有する者が本発明を容易に実施することができるように好適な実施形態を詳細に説明する。但し、本発明の好適な実施形態を詳細に説明するにあたり、関連した公知の機能または構成についての具体的な説明が本発明の要旨を無駄に不明確にする可能性があると判断される場合は、その詳細な説明を省略する。また、類似する機能および作用をする部分に対しては、図面全体にわたって同一の符号を使用する。
【００２３】
ちなみに、明細書全体において、ある部分が他の部分に「連結」されているとするとき、これは「直接連結」されている場合だけでなく、それらの間に他の素子を挟んで「間接に連結」されている場合も含む。また、ある構成要素を「含む」というのは、特に反対される記載がない限り、他の構成要素を除外するのではなく、他の構成要素をさらに含むことができることを意味する。
【００２４】
図３は本発明の一実施形態に係るヘアカット装置の構成を示す図であり、図４は本発明の一実施形態に係るヘアカット装置に使用される毛髪ピンセット部材の構成を示す図である。図３に示すように、本発明の一実施形態に係るヘアカット装置は、支柱１１０、水平段１２０、および頂部用段１３０を含んで構成でき、図４に示すように、毛髪ピンセット部材１４０をさらに含んで構成できる。
【００２５】
支柱１１０は、ヘアカットのためのお客様またはモデルが座っているカット空間に垂直に立てられる一つ以上の棒からなる構成である。このような支柱１１０は、後述する一つ以上の水平段１２０が設置される上段部１１１、中段部１１２、および下段部１１３の位置に区分できる。頂部用段１３０は、上段部１１１の上方付近の固定係止部１１４に固定または解除することができる。また、水平段１２０が位置して固定設置される部位である上段部１１１、中段部１１２および下段部１１３には、水平段１２０が着脱式で締結される場合のための固定係止部１１４をさらに設けることができる。ここで、固定係止部１１４は、頂部用段１３０および水平段１２０が溶接などの方式で一体に設けられる場合には除去できる。また、支柱１１０は、図３及び図６に示すように、４つで構成されて成り、バランスが保たれるように構成することができる。また、支柱１１０は、図５に示すように、２つの支柱でのみを備えることもできる。この場合は、２つの支柱１１０のみではバランスの維持が難しいので、支柱１１０の底面に底部支持台（図示せず）をさらに設けることができる。一方、支柱１１０は、床面に立てて固定することが一般的であるが、これに限定されない。一例として、支柱１１０は、天井から吊り下げて空中に浮かせる形で設置構成するか、或いは支柱１１０の上部を壁に固定させる方式を取ることも可能である。実際に、支柱１１０を天井に固定し或いは棒の上方部に連結して固定する場合、高さがあって重心が相当であり、上方に固定しても重さのため実際バランスがよく保たれるので、設置使用に無理がない。
【００２６】
水平段１２０は、支柱１１０に固定設置される円形リング状の構成である。このような水平段１２０は、一つ以上を備え、一つ以上の支柱１１０に一体に固定設置できる。ここで、一体に固定設置される水平段１２０は、溶接などの方法で一体化されて固定設置できる。また、一つ以上の水平段１２０は、円形リング状をし、一つ以上の支柱１１０それぞれに設けられる固定係止部１１４に締結され、取り外し可能な着脱式で固定設置されることも可能である。すなわち、一つ以上の水平段１２０は、円形リング状をし、ヘアカットのためのお客様またはモデルの頭部の上方部位に相当する支柱１１０の上段部１１１位置と、ヘアカットのためのお客様またはモデルの頭部位に相当する支柱１１０の中段部１１２位置と、ヘアカットのためのお客様またはモデルが座っている椅子のシート部位に相当する支柱１１０の下段部１１３位置にそれぞれ一体型または着脱可能型にて設置することができる。
【００２７】
頂部用段１３０は、お客様またはモデルの上部毛髪を垂直または上方向に固定することができるように支柱１１０の上段部１１１の上方付近に固定設置される構成である。このような頂部用段１３０は、一字状の固定バー１３２または十字状の固定バー１３２で構成することができる。また、頂部用段１３０は、一字状の固定バー１３２または十字状の固定バー１３２を構成し、一字状または十字状の固定バー１３２に直径の異なる複数の円形リング１３１を連結して構成することもできる。
【００２８】
毛髪ピンセット部材１４０は、一側がお客様またはモデルの毛髪に連結され、他の一側が一つ以上の水平段１２０または頂部用段１３０に連結できる構成である。このような毛髪ピンセット部材１４０は、お客様またはモデルの毛髪を固定または解除するためのピンセット１４１と、一端がピンセット１４１に連結される紐１４２と、紐１４２の他の一端に連結される連結部１４３とを含んでなり、ここで、連結部１４３は、水平段１２０または頂部用段１３０に連結されて使用できるようにする。特に、毛髪ピンセット部材１４０は、図４の（ａ）に示すように、ピンセット１４１に連結される紐１４２の他の一端に設けられる連結部１４３を、紐１４２が巻かれるロール構造１４３ａに鉤部１４３ｂを形成して構成する構造とすることができる。また、毛髪ピンセット部材１４０は、図４の（ｂ）に示すように、ピンセット１４１に連結される紐１４２の他の一端に設けられる連結部１４３を磁石１４３ｃで構成する構造とすることができる。また、毛髪ピンセット部材１４０は、図４の（ｃ）に示すように、ピンセット１４１に連結される紐１４２の他の一端に設けられる連結部１４３をピン１４３ｄで構成する構造とすることができる。また、毛髪ピンセット部材１４０は、図４の（ｄ）に示すように、ピンセット１４１に連結される紐１４２の他の一端に設けられる連結部１４３を鉤状部１４３ｅで構成する構造とすることができる。また、毛髪ピンセット部材１４０は、図４の（ｅ）に示すように、ピンセット１４１に連結される紐１４２の他の一端に設けられる連結部１４３を、紐１４２が巻かれるロール構造１４３ａに、各段１２０、１３０に固定装着することが可能な固定部材１４３ｆを形成して構成する構造とすることができる。ここで、毛髪ピンセット部材１４０の紐１４２は弾性力のある材質で構成することが好ましい。
【００２９】
図５は本発明の一実施形態に係るヘアカット装置を美容室のお客様またはモデルに適用した一例の構成を示す図であり、図６は本発明の一実施形態に係るヘアカット装置をマネキンモデルに適用した一例の構成を示す図である。図５及び図６に示すように、本発明の一実施形態に係るヘアカット装置は、一つ以上の支柱１１０に一つ以上の水平段１２０と頂部用段１３０をそれぞれの高さと位置に設置し、ヘアカット装置内に人またはマネキンが位置するようにする。その後、施術者が展開図のデザイン設定通りに頭部の毛髪を分けて長さ、角度および方向を設定し、毛髪ピンセット部材１４０を用いて固定した後、それぞれの水平段１２０と頂部用段１３０の表示された箇所に、毛髪を留めている毛髪ピンセット部材１４０の連結部１４３を連結することにより、ピンセット１４１に連結された段との長さおよび緊張力が維持できるようにする。続いて、毛髪全体を上述の方法で展開図化したデザインで完成させるか、或いは展開図に関係なく新しいデザインを希望する場合、それぞれの水平段１２０と頂部用段１３０の表示に関係なく様々にデザインを創案することになる。その後、施術者は、ハサミ、レザーハサミ、トリマーなどの様々なカット道具を使ってカット手術を完了するのである。
【００３０】
以上説明した本発明は本発明の属する技術分野における通常の知識を有する者によって多様な変形や応用が可能であり、本発明に係る技術思想の範囲は以下の特許請求の範囲によって定められるべきである。
【図１】
2016501611.tif 000003
【図２（ａ）】
2016501611.tif 000004
【図２（ｂ）】
2016501611.tif 000005
【図３】
2016501611.tif 000006
【図４（ａ）】
2016501611.tif 000007
【図４（ｂ）】
2016501611.tif 000008
【図４（ｃ）】
2016501611.tif 000009
【図４（ｄ）】
2016501611.tif 000010
【図４（ｅ）】
2016501611.tif 000011
【図５】
2016501611.tif 000012
【図６】
2016501611.tif 000013
【国際調査報告】
2016501611.tif 000014
2016501611.tif 000015
2016501611.tif 000016
2016501611.tif 000017